(57)【要約】【課題】停電の場合にのみ、補助照明を点灯させる照明装置を提供する。【解決手段】主電源開閉スイッチ１００を介して、主電源２００からの電力供給を受ける照明装置１であって、主光源２３を備える主照明部２と、補助電源（電解コンデンサ３５）、及び、補助電源から電力を供給されて発光する補助光源３６を備える補助照明部３と、補助電源から補助光源３６への電力供給を制御する制御部４と、を備え、主電源開閉スイッチ１００は、主電源２００から照明装置１への電力供給の断続を選択するスイッチ１０３と、スイッチ１０３に並列接続されるインピーダンス１０１とを備え、制御部４は、主電源２００から主電源開閉スイッチ１００を介して供給される電流値を検出し、電流値がゼロである場合には、補助電源から補助光源３６に電力を供給し、電流値がゼロでない場合には、補助電源から補助光源３６に電力を供給しない。【選択図】図２
2015103364.tif 000002
【特許請求の範囲】
【請求項１】
主電源開閉スイッチを介して、主電源からの電力供給を受ける照明装置であって、
前記主電源から電力を供給されて発光する主光源を備える主照明部と、
補助電源、及び、前記補助電源から電力を供給されて発光する補助光源を備える補助照明部と、
前記補助電源から前記補助光源への電力供給を制御する制御部と、を備え、
前記主電源開閉スイッチは、
前記主電源から前記照明装置への電力供給の断続を選択するスイッチ、及び、前記スイッチに並列接続されるインピーダンスを備え、
前記制御部は、
前記主電源から前記主電源開閉スイッチを介して供給される電流値を検出し、前記電流値がゼロである場合には、前記補助電源から前記補助光源に電力を供給し、前記電流値がゼロでない場合には、前記主電源開閉スイッチの開閉に関わらず前記補助電源から前記補助光源に電力を供給しない
照明装置。
【請求項２】
前記制御部は、前記主電源から前記インピーダンスを介して供給される電流値を記憶する記憶部をさらに備え、前記記憶部に記憶された前記電流値に基づいて、前記補助電源から前記補助光源に供給する電力を変更する
請求項１に記載の照明装置。
【請求項３】
前記制御部は、前記主電源から前記インピーダンスを介して供給される電流値を記憶する記憶部をさらに備え、前記記憶部に記憶された前記電流値に基づいて、前記補助電源から前記補助光源に電力を供給する時間を変更する
請求項１に記載の照明装置。
【請求項４】
前記補助電源は、コンデンサからなる
請求項１〜３のいずれか１項に記載の照明装置。
【発明の詳細な説明】
【技術分野】
【０００１】
本発明は、照明装置に関し、特に、主照明と補助照明とを備える照明装置に関する。
【背景技術】
【０００２】
室内用の照明装置は、一般に商用交流電源によって電力を供給され、通常は、スイッチの開閉により点灯と消灯とを切り換えられる。しかしながら、停電時には使用者の意に反して突然消灯されるため、使用者は、消灯された暗い環境下で懐中電灯を探すなどの対応を行う必要がある。そこで、停電時に、補助照明を自動的に点灯する照明装置が検討されている（例えば、特許文献１）。
【先行技術文献】
【特許文献】
【０００３】
【特許文献１】特開２０１３−９７８９９号公報
【発明の概要】
【発明が解決しようとする課題】
【０００４】
特許文献１に記載された照明装置においては、点灯時にコンデンサに充電される電力を用いて、停電の場合に補助照明を点灯しようとしている。しかしながら、特許文献１に記載された照明装置においては、停電の場合だけでなく、点灯と消灯とを切り換えるスイッチによって消灯した場合にも、補助照明が点灯される。一般に、スイッチによって消灯する場合には、必ずしも補助照明は必要とされないため、電力が浪費され得るという問題がある。また、特許文献１に記載された照明装置においては、停電の直前にスイッチを開状態にしていると、停電時に、コンデンサが十分に充電されていないため、補助照明を点灯することができないという問題がある。
【０００５】
本発明は、このような問題を解決するためになされたものであり、停電の場合にのみ、補助照明を点灯させる照明装置を提供することを目的とする。
【課題を解決するための手段】
【０００６】
上記目的を達成するために、本発明に係る照明装置の一態様は、主電源開閉スイッチを介して、主電源からの電力供給を受ける照明装置であって、前記主電源から電力を供給されて発光する主光源を備える主照明部と、補助電源、及び、前記補助電源から電力を供給されて発光する補助光源を備える補助照明部と、前記補助電源から前記補助光源への電力供給を制御する制御部と、を備え、前記主電源開閉スイッチは、前記主電源から前記照明装置への電力供給の断続を選択するスイッチ、及び、前記スイッチに並列接続されるインピーダンスを備え、前記制御部は、前記主電源から前記主電源開閉スイッチを介して供給される電流値を検出し、前記電流値がゼロである場合には、前記補助電源から前記補助光源に電力を供給し、前記電流値がゼロでない場合には、前記主電源開閉スイッチの開閉に関わらず前記補助電源から前記補助光源に電力を供給しない。
【０００７】
また、本発明に係る照明装置の一態様において、前記制御部は、前記主電源から前記インピーダンスを介して供給される電流値を記憶する記憶部をさらに備え、前記記憶部に記憶された前記電流値に基づいて、前記補助電源から前記補助光源に供給する電力を変更する構成としてもよい。
【０００８】
また、本発明に係る照明装置の一態様において、前記制御部は、前記主電源から前記インピーダンスを介して供給される電流値を記憶する記憶部をさらに備え、前記記憶部に記憶された前記電流値に基づいて、前記補助電源から前記補助光源に電力を供給する時間を変更する構成としてもよい。
【０００９】
また、本発明に係る照明装置の一態様において、前記補助電源は、コンデンサからなる構成としてもよい。
【発明の効果】
【００１０】
本発明によれば、停電の場合にのみ、補助照明を点灯させる照明装置を提供することができる。
【図面の簡単な説明】
【００１１】
【図１】図１は、実施の形態１に係る照明装置を用いる照明システムの概要図である。
【図２】図２は、実施の形態１に係る照明装置を用いる照明システムの回路図である。
【図３】図３は、一つのシーリングライトを用いる照明システムを示す概観図である。
【図４】図４は、複数のシーリングライトを用いる照明システムを示す概観図である。
【図５】図５は、複数のシーリングライトを用いる照明システムの概要図である。
【図６】図６は、ダウンライトと一つの主電源開閉スイッチとを用いる照明システムを示す概観図である。
【図７】図７は、ダウンライトと二つの主電源開閉スイッチとを用いる照明システムを示す概観図である。
【図８】図８は、ダウンライトと二つの主電源開閉スイッチとを用いる照明システムの回路図である。
【図９】図９は、二つの主電源開閉スイッチを組み合わせた回路の等価回路を示す回路図である。
【図１０】図１０は、実施の形態２に係る照明装置を用いる照明システムの回路図である。
【図１１】図１１は、実施の形態２に係る照明装置の動作概要を示すフローチャートである。
【発明を実施するための形態】
【００１２】
以下、本発明の実施の形態に係る照明装置について、図面を参照しながら説明する。なお、以下に説明する実施の形態は、いずれも本発明の好ましい一具体例を示すものである。したがって、以下の実施の形態で示される、数値、形状、構成要素、構成要素の配置位置及び接続形態、工程（ステップ）、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
（実施の形態１）
まず、実施の形態１に係る照明装置について、図１及び図２を用いて説明する。図１は、実施の形態１に係る照明装置を用いる照明システムの一例を示す概要図である。また、図２は、図１に示される照明システムの電気回路の概要を示す回路図である。図１及び図２に示されるように、照明システムは、主に、照明装置１と、主電源開閉スイッチ１００と、商用交流電源からなる主電源２００とから構成される。
【００１５】
上記照明システムが備える主電源開閉スイッチ１００は、図１及び図２に示されるように、減流用抵抗であるインピーダンス１０１と、パイロットランプ１０２と、主電源２００から照明装置１への電力供給の断続を選択するスイッチ１０３とを備える。主電源開閉スイッチ１００は、このように構成されるため、主電源２００から電力が供給されている場合、スイッチ１０３が開状態であれば、図１の点線で示された閉路に電流が流れることによりパイロットランプ１０２が点灯する。なお、この場合、インピーダンス１０１によって、上記閉路に流れる電流量が抑制されるため、照明装置１は点灯しない。一方、スイッチ１０３が閉状態であれば、主電源開閉スイッチ１００の両端が短絡され、パイロットランプ１０２に電圧が印加されないため、パイロットランプ１０２は点灯しない。このような主電源開閉スイッチ１００によれば、照明装置１が点灯していない場合には、パイロットランプ１０２が点灯することから、使用者は、夜間でも主電源開閉スイッチ１００の位置を見つけることができる。
【００１６】
上記照明システムが備える照明装置１は、主電源開閉スイッチ１００を介して、主電源２００からの電力供給を受ける装置であり、図２に示されるように、主照明部２と、補助照明部３と、制御部４とを備える。
【００１７】
照明装置１の主照明部２は、主電源開閉スイッチ１００によって点灯と消灯とが切り替えられる照明部であって、図２に示されるように、整流回路２１と、コンバータ回路２２と、主光源２３とを備える。整流回路２１は、主電源２００から供給される交流電力を直流電力に変換する回路であり、直流電圧をコンバータ回路２２に印加する。コンバータ回路２２は、内部に、スイッチング素子、インダクタ、ダイオードなどを備えるＤＣ−ＤＣコンバータであって、整流回路２１から印加される直流電圧を所定の電圧に変換して主光源２３に印加する。主光源２３は、例えば、直列接続された複数のＬＥＤからなる光源であって、コンバータ回路２２から供給される直流電力によって発光する。
【００１８】
照明装置１の補助照明部３は、主電源２００からの電力供給が停止された場合に点灯する非常用の照明部であって、図２に示されるように、抵抗３１、３２、３７と、トランジスタ３３、３８と、ツェナーダイオード３４と、電解コンデンサ３５と、補助光源３６とを備える。補助光源３６は、例えば、ＬＥＤからなる光源である。電解コンデンサ３５は、補助光源３６に電力を供給するための補助電源として用いられるコンデンサである。
【００１９】
照明装置１の制御部４は、主電源２００から主電源開閉スイッチ１００を介して供給される電流値を検出し、当該検出結果に基づいて補助光源３６の点消灯を制御する処理部である。制御部４は、図２に示されるように、マイコン４１と、オペアンプ４２と、抵抗４３、４４と、コンデンサ４５と、直流電源４６とを備える。制御部４のオペアンプ４２、抵抗４３、４４、コンデンサ４５及び直流電源４６が比較器を構成する。マイコン４１は、オペアンプ４２の出力に基づいて、トランジスタ３８へ高レベル又は低レベルの信号を出力する処理部である。
【００２０】
次に、照明装置１の動作について、以下の三つの場合に分けて説明する。
【００２１】
［１．電力供給中、かつ、主電源開閉スイッチが閉状態の場合］
まず、主電源２００が電力供給中であり、かつ、主電源開閉スイッチ１００のスイッチ１０３が閉状態である場合の照明装置１の動作について説明する。
【００２２】
この場合には、交流電力が、主電源２００から照明装置１の主照明部２に供給される。主照明部２に交流電力が供給されると、整流回路２１で直流電力に変換される。整流回路２１の出力電圧は、例えば１００Ｖ以上となる。整流回路２１で直流に変換された電力は、コンバータ回路２２で所定の電圧に変換された後、主光源２３に印加されて、主光源２３が点灯される。
【００２３】
また、図２に示されるように、整流回路２１から出力される直流電力は、補助照明部３及び制御部４にも供給される。
【００２４】
補助照明部３に１００Ｖ以上の直流電圧が印加される場合、トランジスタ３３、ツェナーダイオード３４及び抵抗３１、３２によって、電解コンデンサ３５の両端電圧が、ツェナーダイオード３４のツェナー降伏電圧以上とならないように制限されながら、電解コンデンサ３５が充電される。電解コンデンサ３５と並列に接続される補助光源３６、抵抗３７及びトランジスタ３８には、制御部４のマイコン４１からトランジスタ３８に高レベルの信号が入力される場合にだけ電流が流れる（マイコン４１については後述する。）。主電源２００が電力を供給している場合には、マイコン４１はトランジスタ３８に低レベルの信号を出力し、トランジスタ３８は非導通状態に維持される。これにより、電解コンデンサ３５は放電することなく充電された状態に維持される。
【００２５】
制御部４に１００Ｖ以上の直流電圧が印加される場合、当該直流電圧は、抵抗４３、４４によって分圧される。そして、抵抗４４の両端に印加される電圧と、直流電源４６の両端電圧とがオペアンプ４２によって比較される。これによって、制御部４に流れる電流の大きさが、直流電源４６の出力電圧によって決定される所定の値と比較される。ここで、直流電源４６の出力電圧は、例えば０．５Ｖ程度とされ、抵抗４３、４４によって、整流回路２１の出力電圧が、例えば９：１に分圧される。したがって、抵抗４４の両端に印加される電圧、すなわち、オペアンプ４２の非反転入力電圧は、反転入力電圧０．５Ｖより大きくなるため、オペアンプ４２の出力は高レベルとなる。オペアンプ４２の出力は、マイコン４１に入力されて、マイコン４１は、オペアンプ４２から高レベルの信号が入力されると、主電源２００から電力が供給されていると判断して、トランジスタ３８に低レベルの信号を出力するように設定されている。これにより、補助光源３６は消灯状態に維持される。
【００２６】
以上に述べたとおり、主電源２００が電力供給中であり、かつ、主電源開閉スイッチ１００のスイッチ１０３が閉状態である場合には、主光源２３が点灯状態に、補助光源３６が消灯状態に、それぞれ維持され、電解コンデンサ３５が充電される。
【００２７】
なお、以上では、制御部４において比較器により主電源２００からの電力供給を判別する構成について説明したが、主電源２００からの電力供給を判別する構成は、これに限らない。例えば、マイコン４１は、主電源２００から整流回路２１などを介して駆動用電力の供給を受けているので（電力供給回路は図示されていない）、マイコン４１に電力供給検知回路を設けて、電力供給を検知する構成を採用することも可能である。
【００２８】
［２．電力供給中、かつ、主電源開閉スイッチが開状態の場合］
次に、主電源２００が電力供給中であり、かつ、主電源開閉スイッチ１００のスイッチ１０３が開状態である場合の照明装置１の動作について説明する。
【００２９】
この場合には、交流電力が、主電源２００から主電源開閉スイッチ１００のインピーダンス１０１及びパイロットランプ１０２を介して、照明装置１の主照明部２に供給される。ここで、インピーダンス１０１における電圧降下により、主照明部２へ印加される交流電圧が低下する。したがって、主照明部２の整流回路２１の出力電圧も低下して、例えば、１０Ｖ程度となる。整流回路２１の出力電圧が低いため、主光源２３には、微弱な電流しか流れない。このため、主光源２３は、実質的に消灯状態に維持される。以下、主電源開閉スイッチ１００が開状態の場合に照明装置１に流れる電流のことを「微弱電流」という。
【００３０】
補助照明部３及び制御部４にも整流回路２１によって、１０Ｖ程度の直流電圧が印加され、直流電圧に対応する微弱電流が流れる。制御部４に１０Ｖ程度の直流電圧が印加される場合、抵抗４３、４４によって、整流回路２１の出力電圧が、９：１に分圧されるとすると、オペアンプ４２の非反転入力電圧は１Ｖ程度となり、反転入力電圧０．５Ｖより大きくなる。したがって、主電源開閉スイッチ１００が閉状態の場合と同様に、オペアンプ４２の出力信号は、高レベルに維持される。以上のように、制御部４は、微弱電流の大きさを、電圧値に変換して、比較器によって比較することで、微弱電流の有無を判別する。マイコン４１は、オペアンプ４２から高レベルの信号が入力されると、主電源２００から電力が供給されていると判断して、トランジスタ３８に低レベルの信号を入力して、補助光源３６を消灯状態に維持する。
【００３１】
以上に述べたとおり、主電源２００が電力供給中であり、かつ、主電源開閉スイッチ１００のスイッチ１０３が開状態である場合には、主光源２３及び補助光源３６が、消灯状態に維持される。
【００３２】
［３．電力供給停止中の場合（停電の場合）］
次に、主電源２００が電力供給を停止している場合（以下、「停電の場合」という。）の照明装置１の動作について説明する。
【００３３】
この場合には、主電源開閉スイッチ１００の状態に関わらず、照明装置１の主照明部２には、交流電力が供給されない。したがって、主照明部２の主光源２３は消灯状態に維持される。
【００３４】
また、整流回路２１の出力電圧が０Ｖであるため、制御部４に微弱電流は流れない。したがって、微弱電流に対応する抵抗４４に印加される電圧も０Ｖとなる。したがって、オペアンプ４２の非反転入力電圧が０Ｖ、反転入力電圧が０．５Ｖであるため、オペアンプ４２の出力信号は、低レベルに維持される。マイコン４１に低レベルの信号が入力されると、マイコン４１は、主電源２００が電力供給を停止している、すなわち、停電状態である、と判断して、トランジスタ３８に高レベルの信号を入力して導通状態とする。トランジスタ３８が導通状態になると、電解コンデンサ３５に蓄積された電荷が、放電されて、補助光源３６などに流れ、補助光源３６が点灯状態となる。そして、電解コンデンサ３５から補助光源３６に供給される電流が、補助光源３６の点灯に必要な電流未満となると、補助光源３６が消灯状態となる。
【００３５】
以上に述べたとおり、停電の場合には、主光源２３は消灯状態となるが、補助光源３６は電解コンデンサ３５から電流を供給され、一定時間点灯する。
【００３６】
なお、停電の場合には、オペアンプ４２及びマイコン４１も主電源２００からの駆動用電力の供給を断たれる（駆動用電力供給回路は図示されていない。）。そのため、停電の場合にオペアンプ４２及びマイコン４１へ電力を供給する構成が必要とされる。当該構成としては、例えば、電解コンデンサ３５に充電された電力を用いる構成、別途バッテリを設ける構成などが採用され得る。
【００３７】
以上に述べたように、本実施の形態に係る照明装置１は、主電源開閉スイッチ１００を介して、主電源２００からの電力供給を受ける照明装置１であって、主電源２００から電力を供給されて発光する主光源２３を備える主照明部２と、補助電源である電解コンデンサ３５、及び、電解コンデンサ３５から電力を供給されて発光する補助光源３６を備える補助照明部３と、電解コンデンサ３５から補助光源３６への電力供給を制御する制御部４と、を備え、主電源開閉スイッチ１００は、主電源２００から照明装置１への電力供給の断続を選択するスイッチ１０３と、スイッチ１０３に並列接続されるインピーダンス１０１と、を備え、制御部４は、主電源２００から主電源開閉スイッチ１００を介して供給される電流値を検出し、電流値がゼロである場合には、電解コンデンサ３５から補助光源３６に電力を供給し、電流値がゼロでない場合には、電解コンデンサ３５から補助光源３６に電力を供給しない。これによれば、主電源２００によって電力を供給されている場合には、主電源開閉スイッチ１００が開状態であっても補助光源３６は点灯されず、主電源２００によって電力を供給されない場合には、補助光源３６が点灯される照明装置１を実現できる。
【００３８】
また、本実施の形態に係る照明装置１においては、補助電源として、電解コンデンサ３５を用いているため、補助光源用の電力を比較的短時間の充電によって確保することができる。
【００３９】
（実施の形態２）
上記実施の形態１では、停電の場合のみ所定の出力で補助光源を点灯させる構成が用いられた。次に説明する実施の形態２では、微弱電流の大きさが、同一回路内に接続される主電源開閉スイッチ又は照明装置の個数によって変化することを利用して、補助光源の出力及び点灯時間を変更する構成が用いられる。以下では、照明装置の使用態様に応じた補助光源の出力及び点灯時間の設定方法、及び、照明装置の使用態様に応じた微弱電流の変化とその利用方法について説明した後、本実施の形態に係る照明装置について説明する。
【００４０】
［照明装置の使用態様に応じた補助光源の出力設定］
ここで、照明装置の使用態様に応じた補助光源の出力設定について説明する。
【００４１】
まず、照明装置の使用態様の一例として、シーリングライトを用いる照明システムについて図３〜５を用いて説明する。図３は、一つのシーリングライトを用いる照明システムを示す概観図である。図４は、複数のシーリングライトを用いる照明システムを示す概観図である。図５は、図４に示されるシーリングライトを用いる照明システムの概要図である。なお、ここで、シーリングライトとして、上記実施の形態１に係る照明装置１が適用されたシーリングライト１ａが用いられることを想定する。
【００４２】
シーリングライト１ａと主電源開閉スイッチ１００とを組み合わせた照明システムとして、例えば、図３に示されるように、一つの部屋の入口付近に設けられた一つの主電源開閉スイッチ１００で、一つのシーリングライト１ａの点消灯を切り換える構成が考えられる。また、その他に、図４に示されるように、一つの部屋の入口付近に設けられた一つの主電源開閉スイッチ１００で、複数のシーリングライト１ａの点消灯を一括して切り換える構成が考えられる。ここで、図３に示される照明システムの電気回路は、図２に示される電気回路と同様であり、図４に示される照明システムの電気回路の概要は、図５で表される。したがって、図３及び図４に示される照明システムにおいて、シーリングライト１ａに電力を供給する主電源２００が電力供給を停止する場合、実施の形態１について上述したとおり、各シーリングライト１ａの補助光源３６が点灯される。この場合、図３に示される照明システムにおいては、一つの補助光源３６だけが点灯される。一方、図４に示される照明システムにおいては、複数の補助光源３６が点灯される。したがって、図４に示される照明システムにおいては、複数の補助光源３６が点灯されることから、各補助光源３６の出力が低くても、複数の補助光源３６全体として十分な明るさを確保できる場合がある。また、補助光源３６の出力を低下させることにより消費電力を低下させることができるため、より長い時間、補助光源３６が点灯状態に維持される。
【００４３】
以上で述べたことを勘案すると、図４に示される照明システムにおいては、図３に示される照明システムより、各シーリングライト１ａの補助光源３６の出力を低下させるようにすることで、補助光源３６からの光によって十分な明るさを確保しつつ、より長い時間、補助光源３６を点灯状態に維持することができる場合があると言える。
【００４４】
次に、照明装置の使用態様の他の例として、ダウンライトの使用態様について図６〜８を用いて説明する。図６は、一つの主電源開閉スイッチと一つのダウンライトとを用いる照明システムの例を示す概観図である。図７は、二つの主電源開閉スイッチと一つのダウンライトとを用いる照明システムの例を示す概観図である。図８は、図７に示されるダウンライトを用いる照明システムの回路図である。なお、ここで、ダウンライトとして、上記実施の形態１に係る照明装置１が適用されたダウンライト１ｂが用いられることを想定する。
【００４５】
ダウンライト１ｂと主電源開閉スイッチ１００とを組み合わせた照明システムの構成として、例えば、図６に示されるような、一つの部屋の入口付近に設けられた一つの主電源開閉スイッチ１００で、一つのダウンライト１ｂの点消灯を切り換える構成が考えられる。また、その他に、図７に示されるように、階段の上り口及び下り口付近にそれぞれ設けられた二つの主電源開閉スイッチ１１０で、一つのダウンライト１ｂの点消灯を切り換える構成が考えられる。ここで、図６に示される照明システムは、図２に示される回路と同様の回路で実現される。また、図７に示される照明システムは、図８に示される回路で実現される。図８に示されるように二つの主電源開閉スイッチ１１０が接続されることで、階段の上り口及び下り口のいずれの主電源開閉スイッチ１１０でも、ダウンライト１ｂの点消灯を切り換えることができる。
【００４６】
図６及び図７に示される照明システムにおいて、ダウンライト１ｂに電力を供給する主電源２００が電力供給を停止した場合、実施の形態１について上述したとおり、各ダウンライト１ｂの補助光源３６が点灯される。ここで、図６及び図７に示される照明システムの使用環境について検討する。図６に示される照明システムのような、一つの主電源開閉スイッチ１００だけを用いてダウンライト１ｂの点消灯を切り換える構成は、比較的狭い空間において用いる照明システムに適用されることが多い。一方、図７に示される照明システムのような、二つの主電源開閉スイッチ１１０を用いてダウンライト１ｂの点消灯を切り換える構成は、階段のような比較的広い空間において用いる照明システムに適用されることが多い。したがって、図６に示される照明システムにおいては、図７に示される照明システムより、補助光源３６の出力が低くても十分な明るさが確保できる場合がある。また、補助光源３６の出力を低下させることにより消費電力を低下させることができるため、より長い時間、補助光源３６が点灯状態に維持される。
【００４７】
以上で述べたことを勘案すると、図６に示される照明システムにおいては、図７に示される照明システムより、補助光源３６の出力を低下させるようにすることで、補助光源３６からの光によって十分な明るさを確保しつつ、より長い時間、補助光源３６を点灯状態に維持することができる場合があると言える。
【００４８】
［照明装置の使用態様に応じた微弱電流の変化とその利用方法］
まず、図３に示される照明システムに用いられる場合と、図４に示される照明システムに用いられる場合とで、補助光源の出力を自動的に変えることができるシーリングライトを実現するために、各照明システムにおける微弱電流の大きさの違いを利用する技術について説明する。
【００４９】
図４に示される照明システムにおいては、図５に示されるように、複数のシーリングライト１ａが並列に接続されるため、各シーリングライト１ａに流れる微弱電流は、図３に示される照明システムより小さくなる。
【００５０】
このように、図３及び図４に示される照明システムにおいては、ぞれぞれ、微弱電流の大きさが異なるため、微弱電流の大きさを検知することによって、シーリングライトが図３又は図４のどちらの照明システムにおいて使用されているのかを検知することができる。また、検知された照明システムに応じて補助光源の出力を変更することにより、照明システムに応じて補助光源の出力を自動的に変更することができるシーリングライトなどの照明装置を実現することができる。
【００５１】
次に、図６に示される照明システムに用いられる場合と、図７に示される照明システムに用いられる場合とで、補助光源の出力を自動的に変えることができるダウンライトを実現するために、各照明システムにおける微弱電流の大きさの違いを利用する技術について説明する。
【００５２】
図７に示される照明システムの微弱電流について、図７に示される照明システムの回路図を示す図８及び図９を用いて説明する。図９は、図８に示される二つの主電源開閉スイッチを組み合わせた回路の等価回路を示す回路図である。図９から理解されるように、二つの主電源開閉スイッチ１１０を組み合わせた回路の等価回路におけるスイッチ１１３ａが開状態の場合、当該等価回路全体の抵抗値は、インピーダンス１０１とパイロットランプ１０２との抵抗値の和の半分である。したがって、図７に示される構成においては、図２に示される構成より、微弱電流が大きい。
【００５３】
このように、図６及び図７に示される照明システムにおいても、図３及び図４に示される照明システムと同様に、微弱電流の大きさを検知することによって、ダウンライトが図６又は図７のどちらの照明システムにおいて使用されているのかを検知することができる。また、検知された照明システムに応じて補助光源の出力を変更することにより、照明システムに応じて補助光源の出力を自動的に変更することができるダウンライトなどの照明装置を実現することができる。
【００５４】
［実施の形態２に係る照明装置の回路構成］
次に、実施の形態２に係る照明装置の回路構成について図１０を用いて説明する。図１０は、本実施の形態に係る照明装置を用いる照明システムの電気回路の概要を示す回路図である。図１０に示されるように、本実施の形態に係る照明装置１０は、主照明部２と、補助照明部３ａと、制御部４ａとを備える。
【００５５】
照明装置１０の補助照明部３ａは、補助光源３６と直列接続される二組の抵抗３７ａ、３７ｂ及びトランジスタ３８ａ、３８ｂを備える点において、実施の形態１に係る照明装置１の補助照明部３と異なる。抵抗３７ａと抵抗３７ｂとは互いに異なる抵抗値を有し、本実施の形態では、例えば、抵抗３７ａの方が、抵抗３７ｂより大きい抵抗値を有する。これにより、制御部４ａのマイコン４１ａからの信号により、トランジスタ３８ａ又は３８ｂのいずれか一方を選択的に導通状態とすることで、補助光源３６を異なる出力で点灯させることができる。ここでは、トランジスタ３８ａが導通状態とされる場合の補助光源３６の出力値をＰ１とし、トランジスタ３８ｂが導通状態とされる場合の補助光源３６の出力値をＰ１より大きいＰ２とする。
【００５６】
照明装置１０の制御部４ａは、オペアンプ４２ａ、４２ｂと、抵抗４３ａ、４４ａ、４７ａ、４７ｂ、４７ｃと、コンデンサ４５ａと、定電圧源４８と、マイコン４１ａとを備える。また、マイコン４１ａは、オペアンプ４２ａ、４２ｂから出力される信号レベルなどを記憶する記憶部４９を備える。制御部４ａは、制御部４ａに流れる電流値を二つの電流値と比較できる比較器を構成している点と、マイコン４１ａが二つの出力及び記憶部４９を備えている点とにおいて、実施の形態１に係る照明装置１の制御部４と異なる。
【００５７】
［実施の形態２に係る照明装置の動作］
次に、実施の形態２に係る照明装置１０の動作概要について、図１１を用いて説明する。図１１は、本実施の形態に係る照明装置１０の動作概要を示すフローチャートである。
【００５８】
まず、照明装置１０の制御部４ａは、主照明部２の主光源２３が点灯状態か否かを判別する（Ｓ１）。そして、主光源２３が点灯状態である場合（Ｓ１：Ｙｅｓ）には、補助光源３６は、消灯状態に維持される（Ｓ６）。
【００５９】
主光源２３が消灯状態である場合（Ｓ１：Ｎｏ）には、制御部４ａは、制御部４ａに流れる電流値Ｉを予め定められた電流値Ｉ２と比較する（Ｓ２）。ここで、Ｉ２は、例えば、主電源２００から一つの主電源開閉スイッチ１００を介して一つの照明装置１０に電力を供給する構成（図３参照）において流れる微弱電流値より小さく、主電源２００から一つの主電源開閉スイッチ１００を介して複数の照明装置１０に電力を供給する構成（図４参照）において流れる微弱電流値より大きい電流値である。制御部４ａは、電流値Ｉが電流値Ｉ２より大きい場合（Ｓ２：Ｙｅｓ）には、電流値ＩがＩ２より大きいことを記憶し、補助光源３６の出力値Ｐを、例えば、予め定められた出力値Ｐ２と記憶する（Ｓ３）。出力値Ｐの設定が終了すると、補助光源３６は消灯状態に維持される（Ｓ６）。
【００６０】
電流値Ｉが電流値Ｉ２より小さい場合（Ｓ２：Ｎｏ）には、制御部４ａは、電流値Ｉを予め定められた電流値Ｉ１と比較する（Ｓ４）。ここで、Ｉ１は、例えば、主電源２００から一つの主電源開閉スイッチ１００を介して二つの照明装置１０に電力を供給する構成（図４参照）において流れる微弱電流値より小さく、ゼロより大きい電流値である。制御部４ａは、電流値Ｉが電流値Ｉ１より大きい場合（Ｓ４：Ｙｅｓ）には、電流値Ｉが電流値Ｉ１より大きくＩ２より小さいことを記憶し、補助光源３６の出力値Ｐを、例えば、予め定められた出力値Ｐ１と記憶する（Ｓ５）。出力値Ｐの設定が終了すると、補助光源３６は消灯状態に維持される（Ｓ６）。
【００６１】
電流値Ｉが電流値Ｉ１より小さい場合（Ｓ４：Ｎｏ）には、制御部４ａは、電流値Ｉがゼロであると判断する。続いて制御部４ａは、補助光源３６の出力を決定するために、制御部４ａに記憶された出力値ＰをＰ２と比較する（Ｓ７）。そして、出力値ＰがＰ２である場合（Ｓ７：Ｙｅｓ）には、補助光源３６を出力値Ｐ２で点灯させる（Ｓ８）。また、制御部４ａに記憶された出力値ＰがＰ２でない場合（Ｓ７：Ｎｏ）には、補助光源３６を出力値Ｐ１で点灯させる（Ｓ９）。
【００６２】
照明装置１０は、以上の工程を繰り返し実行し、補助光源３６の点消灯を制御する。
【００６３】
以上で説明した図１１の各工程における照明装置１０の動作の詳細について、図１０の回路図を用いて説明する。
【００６４】
まず、工程Ｓ１において、図１０に記載される制御部４ａのマイコン４１ａにおいて、主光源２３が点灯状態か否かを判別する（Ｓ１）。ここで、図１０には示されないが、マイコン４１ａは、主電源２００から整流回路２１を介して駆動用電力を供給されており、整流回路２１の出力が１００Ｖ程度以上であるか否かを判別する機能を備える。工程Ｓ１において、マイコン４１ａは、上記機能を用いて、整流回路２１の出力が１００Ｖ以上である場合には、主光源２３が点灯状態であると判断し、整流回路２１の出力が１００Ｖ未満である場合には、主光源２３が消灯状態であると判断する。ここで、主光源２３が点灯状態であると判断された場合には、マイコン４１ａは、補助光源３６を消灯状態に維持するように、補助照明部３ａのトランジスタ３８ａ、３８ｂに低レベルの信号を出力する。トランジスタ３８ａ、３８ｂは、マイコン４１ａから低レベルの信号が入力されると、非導通状態となるため、補助光源３６は消灯状態に維持される（Ｓ６）。
【００６５】
工程Ｓ１において、主光源２３が点灯状態でないと判断されると、続く工程Ｓ２において、制御部４ａによって、制御部４ａに流れる電流値ＩとＩ２とが比較される。制御部４ａのオペアンプ４２ａにおいて、電流値Ｉ及びＩ２に対応する電圧値が比較され、オペアンプ４２ｂにおいて、電流値Ｉ及びＩ１に対応する電圧値が比較されるように、制御部４ａの各抵抗の抵抗値などが設定されている。これにより、ＩがＩ２より大きい場合には、オペアンプ４２ａ、４２ｂのマイコン４１ａへの出力信号が高レベルになる。マイコン４１ａの記憶部４９は、オペアンプ４２ａ、４２ｂからの出力信号レベルを記憶することで、ＩがＩ２より大きい値であることを記憶する。ここで、マイコン４１ａの記憶部４９が記憶するオペアンプ４２ａ、４２ｂからの出力信号レベルが、補助光源３６の出力設定値Ｐと対応付けられている。例えば、オペアンプ４２ａ、４２ｂからの出力信号レベルがともに高レベルであれば、補助光源３６を点灯する場合（電流値Ｉがゼロである場合）の補助光源３６の出力設定値が予め定められた比較的大きい出力値Ｐ２に設定される。以上のように、マイコン４１ａの記憶部４９において、電流値Ｉを記憶することで、電流値Ｉに基づいて、補助光源３６の出力設定値としてＰ２が選択される（Ｓ３）。なお、ここでは、補助光源３６の出力設定値が選択されるだけであって、補助光源３６は点灯されず、消灯状態に維持される（Ｓ６）。
【００６６】
上述の工程Ｓ２において、制御部４ａに流れる電流値ＩがＩ２より小さいと判断されると、続く工程Ｓ４において、制御部４ａの比較器によって、制御部４ａに流れる電流値ＩとＩ１とが比較される。ＩがＩ２より小さく、Ｉ１より大きい場合には、制御部４ａのオペアンプ４２ａの出力信号は低レベル、オペアンプ４２ｂの出力信号は高レベルとなる。この工程においても工程Ｓ３と同様に、マイコン４１ａの記憶部４９は、オペアンプ４２ａ、４２ｂからの出力信号レベルを記憶することで、ＩがＩ２より小さく、Ｉ１より大きい値であることを記憶する。また、マイコン４１ａの記憶部４９が記憶するオペアンプ４２ａ、４２ｂからの出力信号レベルが、補助光源３６の出力設定値Ｐと対応付けられている。例えば、オペアンプ４２ａからの出力信号レベルが低レベル、オペアンプ４２ｂからの出力信号レベルが高レベルであれば、補助光源３６の出力設定値が、予め定められた出力値Ｐ１（Ｐ１＜Ｐ２）に設定される。以上のように、マイコン４１ａの記憶部４９において、電流値Ｉを記憶することで、電流値Ｉに基づいて補助光源３６の出力設定値としてＰ１が選択される（Ｓ５）。ここでも、工程Ｓ３と同様に、補助光源３６の出力設定値が選択されるだけであって、補助光源３６は点灯されず、消灯状態に維持される（Ｓ６）。
【００６７】
上述の工程Ｓ４において、制御部４ａに流れる電流値Ｉが、Ｉ１より小さいと判断されると、電流値Ｉはゼロとみなされて、補助光源３６を点灯する工程が実行される。補助光源３６を点灯する前に、工程Ｓ７において、マイコン４１ａの記憶部４９に記憶された補助光源３６の出力設定値ＰがＰ２と比較される。ここで、出力設定値ＰがＰ２であれば（あるいは、記憶された電流値ＩがＩ２より大きければ）、マイコン４１ａは、補助光源３６の出力値がＰ２となるように、トランジスタ３８ａに低レベルの信号を出力して、トランジスタ３８ａを非導通状態とし、トランジスタ３８ｂに高レベルの信号を出力して、トランジスタ３８ｂを導通状態とする。これにより、電解コンデンサ３５から、補助光源３６、抵抗３７ｂ及びトランジスタ３８ｂに電流が流れ、補助光源３６が出力値Ｐ２で点灯される（Ｓ８）。
【００６８】
また、工程Ｓ７において、マイコン４１ａに記憶された補助光源３６の出力設定値ＰがＰ２でないと判断されると（あるいは、記憶された電流値ＩがＩ２より小さく、Ｉ１より大きいと判断されると）、マイコン４１ａは、補助光源３６の出力値がＰ１となるように、トランジスタ３８ａに高レベルの信号を出力して、トランジスタ３８ａを導通状態とし、トランジスタ３８ｂに低レベルの信号を出力して、トランジスタ３８ｂを非導通状態とする。これにより、電解コンデンサ３５から、補助光源３６、抵抗３７ａ及びトランジスタ３８ａに電流が流れ、補助光源３６が出力値Ｐ１で点灯される（Ｓ９）。
【００６９】
以上で述べた工程を繰り返すことにより、照明装置１０は、微弱電流の大きさ（Ｉ）に応じて、停電時の補助光源３６の出力を変更する。
【００７０】
以上で述べたように、本実施の形態に係る照明装置１０の制御部４ａは、主電源２００から主電源開閉スイッチ１００のインピーダンス１０１を介して供給される電流値を記憶する記憶部４９をさらに備え、記憶部４９に記憶された電流値に基づいて、補助電源である電解コンデンサ３５から補助光源３６に供給する電力を変更する。これにより、照明装置１０は、主電源２００に接続される照明装置１０の個数又は主電源開閉スイッチ１００の個数などに応じて補助光源３６の点灯出力を変更することができる。また、本実施の形態においては、補助光源３６の点灯出力を変更することで、点灯時間も変更される。
【００７１】
なお、上記実施の形態の一例として、微弱電流の大きさが大きい場合に、補助光源３６の出力を大きくする構成を用いたが、微弱電流の大きさが小さい場合に、補助光源３６の出力を大きくする構成を用いることもできる。
【００７２】
（変形例など）
以上、本発明に係る照明装置について、実施の形態に基づいて説明したが、本発明は、これらの実施の形態に限定されるものではない。
【００７３】
例えば、上記各実施の形態において、主電源は、商用交流電源であったが、他の系統電源、蓄電機、発電機などであってもよい。
【００７４】
また、上記各実施の形態において、補助電源は、電解コンデンサであったが、他のコンデンサ、電池、発電機などであってもよい。
【００７５】
また、上記各実施の形態において、各光源はＬＥＤであったが、有機ＥＬ（Ｅｌｅｃｔｒｏ−Ｌｕｍｉｎｅｓｃｅｎｃｅ）素子などであってもよい。
【００７６】
また、上記各実施の形態において、主電源開閉スイッチのスイッチに、インピーダンス及びパイロットランプを並列接続したが、インピーダンスとして、パイロットランプだけを並列接続する構成であってもよい。
【００７７】
また、上記各実施の形態において、補助光源に直列接続される抵抗を可変抵抗として、補助光源の出力を調整可能としてもよい。
【００７８】
また、図１１に示されるフローチャートの工程Ｓ１においては、主光源の点消灯がマイコンにより判別されるが、主光源の点消灯の判別手段は、これに限らない。例えば、制御部にさらに比較器を追加することにより、制御部に流れる電流を判別することで、主光源の点消灯を判別してもよい。
【００７９】
また、上記実施の形態２において、照明装置の使用態様に応じて、補助光源への供給電力を変更する構成を用いたが、補助光源への供給電力を他のパラメータなどに応じて変更する構成としてもよい。例えば、主光源の出力（ワット数）に応じて補助光源への供給電力を変更する構成としてもよい。
【００８０】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００８１】
１、１０  照明装置
１ａ  シーリングライト
１ｂ  ダウンライト
２  主照明部
３、３ａ  補助照明部
４、４ａ  制御部
２１  整流回路
２２  コンバータ回路
２３  主光源
３１、３２、３７、３７ａ、３７ｂ、４３、４３ａ、４４、４４ａ、４７ａ、４７ｂ、４７ｃ、５２ａ、５２ｂ  抵抗
３３、３８、３８ａ、３８ｂ  トランジスタ
３４  ツェナーダイオード
３５  電解コンデンサ
３６  補助光源
４１、４１ａ  マイコン
４２、４２ａ、４２ｂ  オペアンプ
４５、４５ａ  コンデンサ
４６  直流電源
４８  定電圧源
４９  記憶部
１００、１１０、１１０ａ  主電源開閉スイッチ
１０１  インピーダンス
１０２  パイロットランプ
１０３、１１３、１１３ａ  スイッチ
２００  主電源
【図１】
2015103364.tif 000003
【図２】
2015103364.tif 000004
【図３】
2015103364.tif 000005
【図４】
2015103364.tif 000006
【図５】
2015103364.tif 000007
【図６】
2015103364.tif 000008
【図７】
2015103364.tif 000009
【図８】
2015103364.tif 000010
【図９】
2015103364.tif 000011
【図１０】
2015103364.tif 000012
【図１１】
2015103364.tif 000013